(57)【特許請求の範囲】
【請求項１】
自伝送終端装置の監視を行う監視制御部と、経路情報を含む遠隔保守用信号の送受信及び切替えを行う遠隔保守機能部と、対向局との通信に主信号のオーバヘッドを行う伝送多重分離部とを有し、該主信号の終端を行う伝送終端装置において、
前記遠隔保守機能部は、
同一局内の装置間を接続するインタフェースであって、局内の他の伝送終端装置及び／又は局内の保守対象機器と接続されるＬＡＮインタフェース部と、
前記伝送多重分離部とのインタフェースを行うものであると共に、局間の伝送路の一部をなすものであって、局内のデータのフォーマットを局間の伝送路用のフォーマットに変換する伝送インタフェース部と、
前記経路情報により前記遠隔保守用信号の転送経路を、該ＬＡＮインタフェース部を介して同一局内の他の伝送終端装置及び／又は保守対象機器に転送するか、若しくは該伝送インタフェース部並びに前記伝送多重分離部を経由して対向局に転送するか、切替える演算処理部と、
を具備し、
さらに、前記遠隔保守機能部は、
前記遠隔保守用信号が自伝送終端装置宛てのときは、前記ＬＡＮインタフェース部を介して、前記監視制御部から監視情報を入手して、該監視情報を該遠隔保守用信号の送信元に向けて返送する機能と、
前記遠隔保守用信号が他局の伝送終端装置宛てのときは、前記伝送インタフェース部及び前記伝送多重分離部を経由して該遠隔保守用信号を対向局に転送する機能とを有する伝送終端装置。
【請求項２】
前記遠隔保守用信号は、伝送終端装置又は伝送終端装置のＬＡＮインタフェース部と接続された保守対象機器に対する監視情報の要求、又は該監視情報の要求に対する返事であることを特徴とする請求項１に記載の伝送終端装置。
【請求項３】
前記遠隔保守機能部は、前記遠隔保守用信号を送受信する保守端末を接続するインタフェース手段を具備することを特徴とする請求項１に記載の伝送終端装置。
【請求項４】
前記遠隔保守用信号にはソフトウェアのバージョンアップ情報を含み、
前記演算処理部は前記遠隔保守用信号から自伝送終端装置に対するソフトウェアのバージョンアップ情報を読み込んで、該伝送終端装置のソフトウェアのバージョンアップを行うことを特徴とする請求項１に記載の伝送終端装置。
【請求項５】
前記自伝送終端装置は、前記監視制御部又は前記インタフェース部と接続される保守対象機器であることを特徴とする請求項４に記載の伝送終端装置。
【請求項６】
前記演算処理部は、前記遠隔保守用信号に含まれる他の伝送終端装置に対するソフトウェアのバージョンアップ情報を、局内の他の伝送終端装置及び／又は保守対象機器、若しくは対向局に転送することを特徴とする請求項４に記載の伝送終端装置。
【発明の詳細な説明】
【０００１】
【発明の属する技術分野】
本発明は、高速のデジタル信号を伝送する伝送路網に用いられる伝送終端装置に関し、特に伝送終端装置が設置された局において任意の保守局から他局にある伝送終端装置の監視および保守を可能とする改良に関する。
【０００２】
【従来の技術】
顧客家屋に設置された電話機や私設構内交換機に故障が発生した場合に、電話サービス事業者は遠隔保守局により故障原因が機器側、回線側、若しくは網側の何れにあるか分離して、故障からの復旧を行うことは、例えば特開平６−３７８９１号公報に開示されている。
他方、電話サービス事業者は、自社の伝送終端装置が設置された局については、従来は保守員が各局に入局して保守作業やソフトウェアのバージョンアップを実施しているのが現状である。
【０００３】
【発明が解決しようとする課題】
ところで、電話サービス事業者は、伝送網の増大と共に長距離電話料の単価逓減という環境の中で、従来と比較して低コストで効率の良い伝送終端装置の保守作業やソフトウェアのバージョンアップを実現する必要性を生じている。
【０００４】
そこで、特開平９−３２１７２９号公報では、ディジタル伝送装置の保守作業において、伝送装置や通信網の監視保守運用を行うためのオーバヘッドと呼ばれる信号を、多重化した主信号に付加した同期多重化信号を用いて、伝送網の増設や変更に対して柔軟に対応する技術が開示されている。しかし、この技術はオーバヘッドを送受信する伝送区間で発生した誤りを検出する技術であり、伝送終端装置自体の保守作業に適したものではなかった。
【０００５】
本発明は上述する課題を解決するもので、低コストで効率の良い伝送終端装置の保守作業やソフトウェアのバージョンアップを実現する伝送終端装置を提供することを目的とする。
【０００６】
【課題を解決するための手段】
上記課題を解決する本発明の伝送終端装置について、図１及び図２に示す、主信号の終端を行う伝送終端装置６を用いて説明する。伝送終端装置６は伝送終端装置６自体の監視を行う監視制御部１４と、経路情報を含む遠隔保守用信号の送受信及び切替えを行う遠隔保守機能部１３と、対向局Ａとの通信に主信号のオーバヘッドを行う伝送多重分離部１２とを有している。遠隔保守機能部１３は、局内の他の伝送終端装置７及び／又は保守対象機器と接続されるＬＡＮインタフェース部２１ｂと、伝送多重分離部１２とのインタフェースを行う伝送インタフェース部２３ｂと、経路情報により遠隔保守用信号の転送経路を、ＬＡＮインタフェース部２１ｂを介して局内の他の伝送終端装置７及び／又は保守対象機器に転送するか、若しくは伝送インタフェース部２３ｂ並びに伝送多重分離部１２を経由して対向局Ａに転送するか、切替える演算処理部２２ｂとを備えている。
【０００７】
このように構成された装置において、遠隔保守用信号が自伝送終端装置６宛てのときは、遠隔保守機能部１３は監視制御部１４から監視情報を入手して、ＬＡＮインタフェース部２１ｂを介して局内の他の伝送終端装置７、若しくは伝送インタフェース部２３ｂ並びに伝送多重分離部１２を経由して対向局Ａに返送する。他方、遠隔保守用信号が他の伝送終端装置宛てのときは、自伝送終端装置６は中継装置として働く。即ち、伝送多重分離部１２並びに伝送インタフェース部２３ｂを経由して対向局Ａから受信した遠隔保守用信号については、演算処理部２２ｂは、ＬＡＮインタフェース部２１ｂを介して局内の他の伝送終端装置７及び／又は保守対象機器に転送する。他方、ＬＡＮインタフェース部２１ｂを介して局内の他の伝送終端装置７から受信した遠隔保守用信号については、演算処理部２２ｂは伝送インタフェース部２３ｂ並びに伝送多重分離部１２を経由して対向局Ａに転送する。
【０００８】
好ましくは、遠隔保守用信号は、伝送終端装置６又は伝送終端装置のＬＡＮインタフェース部２１ｂと接続された保守対象機器に対する監視情報の要求、又は該監視情報の要求に対する返事とするとよい。また、遠隔保守機能部１３は、遠隔保守用信号を送受信する保守端末４を接続するインタフェース手段２１ｂを有するとよい。保守端末４を備えた伝送終端装置６は、マスタ局として働く。
【０００９】
また、遠隔保守用信号にはソフトウェアのバージョンアップ情報を含み、演算処理部２２ｂは遠隔保守用信号から伝送終端装置６に対するソフトウェアのバージョンアップ情報を読み込んで、伝送終端装置６のソフトウェアのバージョンアップを行う構成とするとよい。好ましくは、バージョンアップされる伝送終端装置６は、監視制御部１４若しくはＬＡＮインタフェース部２１ｂと接続される保守対象機器のソフトウェアとするとよい。また、演算処理部２２ｂは、遠隔保守用信号に含まれる他の伝送終端装置に対するソフトウェアのバージョンアップ情報を、局内の他の伝送終端装置又は対向局に転送する構成とするとよい。
【００１０】
【発明の実施の形態】
以下、図面を用いて本発明の実施の形態を説明する。
図１は、本発明の第１の実施の形態を説明する構成ブロック図である。図において、遠隔保守局のマスタ局であるＡ局１は、遠隔保守を行う保守端末４と主信号の伝送終端を行う伝送終端装置５を有している。伝送終端装置５は、装置の監視を行う監視制御部９、遠隔保守用信号の送受信及び切り替えを行う遠隔保守機能部１０、並びに主信号のオーバヘッド処理を行う伝送多重分離部１１を有している。遠隔保守機能部１０の経路情報交換用プロトコルには、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のような汎用の通信プロトコルを用いるとよい。
【００１１】
Ｂ局は２つの伝送終端装置６、７を有している。伝送終端装置６は、監視制御部１４、遠隔保守機能部１３、並びに伝送多重分離部１２を有する。伝送終端装置７は、監視制御部１７、遠隔保守機能部１５、並びに伝送多重分離部１６を有する。伝送終端装置６は、Ａ局の伝送終端装置５と対向しており、伝送終端装置７はＣ局の伝送終端装置８と対向している。
【００１２】
Ｃ局も同様に伝送終端装置８があり、監視制御部２０、遠隔保守機能部１９、並びに伝送多重分離部１８を有する。Ａ局の遠隔保守機能部１０とＢ局の遠隔保守機能部１３は主信号を介して対向している。また、Ｂ局の遠隔保守機能部１５とＣ局の遠隔保守機能部１９も主信号を介して対向している。Ｂ局の遠隔保守機能部１３と１５は、例えば局内のＬＡＮを用いて互いに接続されている。
【００１３】
各局の遠隔保守機能部の構成例を図２〜図５に示す。
図２はＡ局の遠隔監視機能部１０の詳細を示す構成ブロック図である。
遠隔保守機能部１０は、装置外のＬＡＮ（Ｌｏｃａｌ  Ａｒｅａ  Ｎｅｔｗｏｒｋ）とインタフェースを行うＬＡＮインタフェース部２１ａ、経路情報の処理を行う演算処理部２２ａ、そして主信号のオーバヘッド処理部とのインタフェースを行う伝送インタフェース部２３ａを有している。ＬＡＮインタフェース部２１ａには保守端末４が接続され、伝送インタフェース部２３ａは、Ｂ局と対向している伝送多重分離部１１に接続される。
【００１４】
図３はＢ局の遠隔保守機能部１３の詳細を示したものである。遠隔保守機能部１３は、Ａ局と同様にＬＡＮインタフェース部２１ｂ、演算処理部２２ｂ、そして伝送インタフェース部２３ｂを有している。ＬＡＮインタフェース部２１ｂには、Ｃ局と対向する遠隔保守機能部１５に接続するインタフェース２４が設けられている。伝送インタフェース部２３ｂはＡ局と対向している伝送多重分離部１２に接続されている。
【００１５】
図４はＢ局の遠隔保守機能部１５の詳細を示したものである。
遠隔保守機能部１５は、遠隔保守機能部１３と同様にＬＡＮインタフェース部２１ｄ、演算処理部２２ｄ、そして伝送インタフェース部２３ｄを有している。ＬＡＮインタフェース部２１ｄにはＡ局と対向の遠隔保守機能部に接続するインタフェース２５が設けられている。伝送インタフェース部２３ｄはＣ局と対向している伝送多重分離部１２に接続されている。
【００１６】
図５はＣ局の遠隔保守機能部１９の詳細を示したものである。遠隔保守機能部１９は、他局と同様にＬＡＮインタフェース部２１ｃ、演算処理部２２ｃ、そして伝送インタフェース部２３ｃを有している。ＬＡＮインタフェース部２１ｃには監視・制御処理部２０が接続されており、伝送インタフェース部２３ｃはＢ局に対向している伝送多重分離部１８に接続されている。
【００１７】
このように構成された装置の動作を、図１乃至図５を用いて説明する。ここでは、遠隔保守局のマスタ局であるＡ局１に設置された保守端末４より操作し、Ｂ局２の伝送終端装置６、７を経由し、Ｃ局の伝送終端装置８の監視・制御を行う場合を例として説明する。
【００１８】
図２において、Ａ局の遠隔保守機能部１０は保守端末４より経路情報を含んだデータをＬＡＮインタフェース部２１ａで受信する。演算処理部２２ａでは経路情報を処理し、経路情報に従って伝送路インタフェース部２３ａにデータを出力する。伝送路インタフェース部２３ａはデータを伝送路用のフォーマットに変換し、伝送多重分離部１１にデータと経路情報を出力する。伝送多重分離部１１は主信号のオーバヘッドにデータと経路情報を重畳し、Ｂ局の伝送端局装置６へデータを送信する。
【００１９】
次に図３において、Ａ局から伝送された主信号は伝送多重分離部１２により受信され、オーバヘッドからデータと経路情報が分離される。データと経路情報は、遠隔保守機能部１３の伝送インタフェース部２３ｂを経由して演算処理部２２ｂに入力される。演算処理部２２ｂでは入力された経路情報を処理し、経路情報に従ってＬＡＮインタフェース部２１ｂを介して伝送終端装置７の遠隔保守機能部１５へデータと経路情報を転送する。
【００２０】
図４において、伝送終端装置７の遠隔保守機能部１５は、ＬＡＮインタフェース部２１ｄでデータと経路情報を受けとり、演算処理部２２ｄで経路情報を処理する。そして、演算処理部２２ｄは経路情報に従って、伝送インタフェース部２３ｄから伝送多重分離部１６へデータと経路情報を出力する。伝送多重分離部１６は主信号のオーバヘッドにデータと経路情報を重畳してＣ局へ送信する。
【００２１】
図５において、Ｂ局から伝送された主信号は伝送多重分離部１８で受信され、オーバヘッドからデータと経路情報が分離される。データと経路情報は、遠隔保守機能部１９の伝送インタフェース部２３ｃを経由して演算処理部２２ｃに入力される。演算処理部２２ｃでは経路情報から自装置に送信されたデータと判断して、ＬＡＮインタフェース部２１ｃを通して監視・制御処理部２０ａにデータを出力し、Ｃ局の伝送終端装置８内の監視・制御を行う。監視制御を行った結果は遠隔保守機能部１９から逆のルートでＡ局の遠隔保守機能部１０へ送信され、保守端末４で結果を得ることができる。
【００２２】
次に図１を参照して、遠隔保守局であるＡ局１に設置された保守端末４より操作し、Ａ局１の監視制御部９、Ｂ局２の伝送終端装置６、７の監視制御部１４、１７及びＣ局３の伝送終端装置８の監視制御部２０についてソフトウェアのバージョンアップを行う例を説明する。保守端末４から全局の伝送終端装置の監視制御部に対し、経路情報を指定してソフトウェアのダウンロードを実行することで、同時にソフトウェアのバージョンアップが行われる。
【００２３】
図２においてＡ局の遠隔保守機能部１０は保守端末４から経路情報とデータをＬＡＮインタフェース部２１ａに入力する。演算処理部２２ａでは経路情報を処理し、伝送路インタフェース部２３ａを介してＢ局へデータと経路情報の送信を行う。これと同時に、演算処理部２２ａでは自装置のダウンロード用のデータであることを判断し、監視・制御処理部９ａにデータを出力し、監視・制御処理部９ａのプログラムの書き換えを行う。
【００２４】
次に図３において、Ａ局から送信されたデータと経路情報は伝送多重分離部１２で受信され、遠隔保守機能部１３の伝送インタフェース部２３ｂを介して演算処理部２２ｂに入力される。演算処理機能部２２ｂでは経路情報から自装置のダウンロード用のデータであることを判断し、監視・制御処理部１４ａにデータを出力して監視・制御処理部１４ａのプログラムの書き換えを行う。同時にＣ局向けの遠隔保守機能部１５へもデータと経路情報を出力する。
【００２５】
図４において、遠隔保守機能部１５のＬＡＮインタフェース部２１ｄは、データと経路情報を受けとり演算処理部２２ｄにおくる。演算処理部２２ｄは経路情報を判断して、監視・制御処理部１７ａへ送り監視・制御処理部１７ａのプログラムの書き換えを行う。同時に演算処理部２２ｄは伝送インタフェース部２３ｄを経由して伝送多重分離部１６へデータを渡す。この結果、データと経路情報がＢ局からＣ局へと送信される。
【００２６】
図５において、Ｂ局からのデータと経路情報は、Ｃ局の伝送多重分離部１８で受信され、遠隔保守機能部１９の伝送インタフェース部２３ｃを介して演算処理部２２ｃに入力される。演算処理部２２ｃでは経路情報を処理し、自装置のダウンロードデータと判断して、ＬＡＮインタフェース部２１ｃを通して監視・制御処理部２０にデータを出力し、監視・制御処理部２０のプログラムの書き換えを行う。
【００２７】
図６は、本発明の第２の実施の形態を説明する構成ブロック図で、Ａ局とＣ局が中継局Ｂを経由することなく、直接接続される場合を示している。端末４ａ、４ｂは、例えばパーソナルコンピュータであって、各局Ａ、Ｃの遠隔保守機能部１２ａ、１９ａの経路情報交換用プロトコルと同じ経路情報交換用プロトコルによる通信機能を備える。このように構成すると、端末４ａと端末４ｂとの間で、主信号のオーバヘッドを行う伝送多重分離部を用いたデータ通信にも使用することができる。
【００２８】
図７は、本発明の第３の実施の形態を説明する構成ブロック図である。Ａ局１の伝送終端装置５とＣ局３の伝送終端装置８が対向している場合、Ｃ局３の装置Ｄ２６と装置Ｅ２７に汎用なＬＡＮインタフェース部２８ａ、２８ｂを持たせ伝送終端装置８の遠隔保守機能部１９と接続する。このように構成すると、Ａ局１の端末装置４によって、Ｃ局３に設置される装置Ｄ２６及び装置Ｅ２７に対して遠隔での装置監視が可能となる。
【００２９】
【発明の効果】
以上説明したように、本発明によれば、伝送終端装置は同一局内の装置に接続されるＬＡＮインタフェース部と、対向局と接続される伝送インタフェース部の複数のインタフェース（接続ポート）を有するので、対向する少なくとも２局間において、装置間の監視系ネットワークを構成することができる。また、ＬＡＮインタフェース部に接続される機器は、伝送終端装置以外の装置も対象とすることができる。
また、伝送路網が３局以上から構成される場合でも、伝送多重分離部で送受信される各局間の主信号のオーバーヘッドを使用する事により、経路情報プロトコルによる監視系ネットワークを構築することができる構成としたので、保守端末を伝送終端装置に接続することで、任意の局から伝送路網内の全ての局内装置に対する監視・保守等が可能となる。
【００３０】
また遠隔保守用信号にはソフトウェアのバージョンアップ情報を含み、演算処理部は遠隔保守用信号から伝送終端装置に対するソフトウェアのバージョンアップ情報を読み込んで、伝送終端装置のソフトウェアのバージョンアップを行う構成とすると、ソフトウェアのバージョンアップが、任意の局からの操作によって伝送路網内の全ての装置に対し容易かつ短時間で実行することが可能となる。
【図面の簡単な説明】
【図１】本発明の第１の実施の形態を説明する構成ブロック図である。
【図２】Ａ局の遠隔監視機能部１０の詳細を示す構成ブロック図である。
【図３】Ｂ局の遠隔監視機能部１３の詳細を示す構成ブロック図である。
【図４】Ｂ局の遠隔監視機能部１５の詳細を示す構成ブロック図である。
【図５】Ｃ局の遠隔監視機能部１９の詳細を示す構成ブロック図である。
【図６】本発明の第２の実施の形態を説明する構成ブロック図である。
【図７】本発明の第３の実施の形態を説明する構成ブロック図である。
【符号の説明】
１  Ａ局（マスタ局）
２  Ｂ局（中継局）
３  Ｃ局（保守対象局）
４  保守端末
５、６、７、８  伝送終端装置
９、１４、１７、２０  監視制御部
９ａ、１４ａ、１７ａ、２０ａ  監視制御処理部
１０、１３、１５、１９  遠隔保守機能部
１１、１２、１６、１８  伝送多重分離部
２１ａ、２１ｂ、２１ｃ、２１ｄ、２８ａ、２８ｂ  ＬＡＮインタフェース部
２２ａ、２２ｂ、２２ｃ、２２ｄ  演算処理装置
２３ａ、２３ｂ、２３ｃ、２３ｄ  伝送インタフェース部
【図１】
0003603670.tif 000002
【図２】
0003603670.tif 000003
【図３】
0003603670.tif 000004
【図４】
0003603670.tif 000005
【図５】
0003603670.tif 000006
【図６】
0003603670.tif 000007
【図７】
0003603670.tif 000008